(57)【要約】      （修正有）【課題】災害時に幼児や子供でも扱いやすい防災頭巾カバーと、防災頭巾を提供する。【解決手段】防災頭巾カバー２の出し入れ口３の反対側に、防災頭巾１を素早く引き出せるための持ち手４を設ける。防災頭巾１に、防災頭巾カバー２から素早く簡単に引き出し、頭にかぶることのできる持ち手５，６を設ける。防災頭巾カバー２の持ち手の持ち手４は、防災頭巾カバー２に隙間なく接した状態で設ける。防災頭巾１の下部分の持ち手５，６は、防災頭巾１に隙間なく接した状態で設ける。【選択図】図１
2015029807.tif 000002
【特許請求の範囲】
【請求項１】
防災頭巾と、上記防災頭巾を収容する布製の袋を備え、上記袋の開口の反対側に持ち手が設けられていることを特徴とする防災具。
【請求項２】
請求項１に記載の防災頭巾の下部分に持ち手が設けられていることを特徴とする防災具。
【請求項３】
請求項１に記載の布製の袋の持ち手は、布製の袋に隙間なく接した状態で設けられていることを特徴とする防災具。
【請求項４】
請求項２に記載の防災頭巾の下部分の持ち手は、防災頭巾に隙間なく接した状態で設けられていることを特徴とする防災具。
【発明の詳細な説明】
【技術分野】
【０００１】
本発明は、特に地震対策強化地域の多くの幼稚園や小学校で必需品とされる防災頭巾とそのカバーに関するもの。
【背景技術】
【０００２】
従来の防災頭巾は、椅子の背に取り付け背もたれとして使用するものや、ひっかけ紐を設けて座布団として使用するものや、バッグ型になって外出時常に身近に置いておくものがある（例えば、特許文献１・２参照。）。
また、一般に販売されている防災頭巾カバーの開口部分については、通常の使用時に防災頭巾が飛び出さないように、ファスナーを付けたり、かぶせ式のふたを付けたりして面ファスナーでとめるなどの処理がされている。
【先行技術文献】
【特許文献】
【０００３】
【特許文献１】特許第５０９３７３７号
【特許文献２】実用新案登録第３１１２９２４号
【発明の概要】
【発明が解決しようとする課題】
【０００４】
防災頭巾を座布団や背もたれとして日々子供たちが使用することを考えると、汚れ防止や衛生のためにカバーはあるほうが望ましいが、従来の防災頭巾では、上記のようにただ身近に置いておくことのみに重点が置かれ、「どのように素早く取り出し、素早く着用するのか」に関しては考えられていない。
災害時には、気が動転したり、パニック状態に陥ったりすることにより、防災頭巾カバーごと防災頭巾も一緒につかんだまま取り出そうとしたり、落としてしまったりすることが考えられ、装着までに時間がかかる。また、うまくカバーだけを掴んで引けたとしても、力が入れにくく、このような状態であれば、園児や低学年の児童の中には、教師の手を借りなければ取り出せず、着用の難しい子供がいてもおかしくない。そのため、従来の構成が有していた問題を解決することを目的としている。
【課題を解決するための手段】
【０００５】
本発明は上記目的を達成するために、防災頭巾と上記防災頭巾を収容する布製の袋を備え、上記袋の開口の反対側に取り出しを容易にするための持ち手を設けた。
【０００６】
また、上記に記載の防災頭巾の下部分に防災頭巾を取り出しやすくするための持ち手を設けた。
【０００７】
また、上記記載の布製の袋の持ち手は、布製の袋に隙間なく接した状態で設けた。
【０００８】
また、上記記載の防災頭巾の下部分の持ち手は、防災頭巾に隙間なく接した状態で設けた。
【発明の効果】
【０００９】
防災頭巾カバーに持ち手を付けることの効果
本発明によれば、防災頭巾を収容する布製の袋の開口の反対側に持ち手を設けたため、まだ力の弱い子供でも持ち手を持つことで力が入れやすく、防災頭巾を防災頭巾カバーの上から一緒に掴んでしまうことも防げ、防災頭巾カバーから防災頭巾を取り出しやすくなる。また、子供達一人一人が個々に防災頭巾を取り出し、着用可能になることで、教師の負担を軽減でき、しかも、子供たちの安全が向上する。
また、カバーを付けることにより、防災頭巾の汚れを防ぎ、カバーだけ洗濯することができるため衛生的かつ経済的。
【００１０】
防災頭巾の下部分に持ち手を付けることの効果
また、防災頭巾の下部分に防災頭巾を取り出しやすくするための持ち手を設けた為、持ち手を引っ張るだけで簡単に防災頭巾を取り出せ、持ち手を持ったまま装着することが可能。
【００１１】
持ち手を防災頭巾カバーに隙間なく接して付けることの効果
通常時に座布団や背もたれとして使用する場合に邪魔にならず、また防災頭巾カバーをバッグ型にした場合のバッグとしての持ち手との混同を防ぐことができる。
【００１２】
持ち手を防災頭巾に隙間なく接して付けることの効果
災害時には、防災頭巾の内側に、防災頭巾に接して持ち手が付いていることにより、取り出す時にバッグ型のカバーにした場合の持ち手との混同を防ぎ、また、避難時に周囲のものに引っかかるのを防ぐこともできる。
【図面の簡単な説明】
【００１３】
【図１】本発明の防災頭巾カバーに防災頭巾を収容した状態の図。
【図２】本発明の防災頭巾カバーから防災頭巾を取り出した状態の図。
【図３】本発明の防災頭巾のみの斜視図。
【図４】本発明の防災頭巾カバーの他のアレンジで、バッグ型にした状態の図。
【図５】本発明の防災頭巾カバーのアレンジで、他のかぶせ式のふたが付いた座布団カバーとした状態の図。
【図６】図２の状態であり、本発明の防災頭巾カバーの持ち手を隙間なく接して付けた状態の図。
【実施例】
【００１４】
以下、本発明の実施例を説明する。本発明の防災具の基本構成は、防災頭巾カバー２と防災頭巾１で構成されている。
【００１５】
通常は図１のように防災頭巾カバー２に防災頭巾１が収納してあるものを、座布団や背もたれとして使用している。
災害時には、例えば、左手で防災頭巾カバーの持ち手４を持ち、右手で防災頭巾の持ち手５・６を持ち、左右に引くだけで、力の弱い子供でも素早く簡単に防災頭巾１を防災頭巾カバー２から取り出すことができる。
防災頭巾カバー２はその場に置き、防災頭巾の持ち手６を左手に持ち替え頭にかぶる。
防災頭巾カバー２にしか持ち手がない場合は、防災頭巾１をつかんでとりだす。
【００１６】
図２の防災頭巾カバー２については、防災頭巾カバー２の防災頭巾カバーの取り出し口３の反対側に、防災頭巾カバーの持ち手４を、縫い付けたものとする。また、防災頭巾１の飛び出し防止のために、防災頭巾カバーの取り出し口３に面ファスナー９を取り付けた。
図３の防災頭巾１については、難燃素材等でできた長方形の袋に綿等の緩衝剤を入れたものを２枚合わせ、頭頂部・後頭部をそれぞれ縫い合わせたものを頭にかぶり、頭部から肩にかけて保護する形状の防災頭巾であり、下部分でかぶって右側になる側に防災頭巾の持ち手５、また、かぶって左側になる部分に防災頭巾の持ち手６の両端を防災頭巾に隙間なく接した状態で縫い付けたものとする。
ただし、防災頭巾の持ち手５・６については無くても可。
【００１７】
本発明は、上記の実施形態に限定されず、本発明の主旨を逸脱しない範囲で応用が可能である。
例えば、防災頭巾カバー２の他のアレンジとして、図４は、防災頭巾カバーの取り出し口３の側に、防災頭巾カバーをバッグ型にした場合のバッグとしての持ち手７を取り付け、持ち運びを容易にすることができる。
また、防災頭巾カバー２の他のアレンジとして、図5は、防災頭巾カバーの取り出し口３の側に面ファスナー９の代わりとしてかぶせ式のふたを取り付け、防災頭巾カバーの持ち手４側等に、椅子に固定するための弾性紐８等を取り付け、防災頭巾１を座布団とした座布団カバーとすることができる。
さらに、図６にあるように、防災頭巾カバーの持ち手４は、普段は邪魔にならないように防災頭巾カバー２に隙間なく接した状態で両端を縫い付けられており、使用時には中央に手を差し入れて持つことができる。
【符号の説明】
【００１８】
１  防災頭巾
２  防災頭巾カバー
３  防災頭巾カバーの取り出し口
４  防災頭巾カバーの持ち手
５  防災頭巾の持ち手
６  防災頭巾の持ち手
７  防災頭巾カバーをバッグ型にした場合のバッグとしての持ち手
８  弾性紐
９  面ファスナー
【図１】
2015029807.tif 000003
【図２】
2015029807.tif 000004
【図３】
2015029807.tif 000005
【図４】
2015029807.tif 000006
【図５】
2015029807.tif 000007
【図６】
2015029807.tif 000008